(57)【要約】【課題】複数種類のセンサを同時に使用可能としたナースコール子機において、できるだけ誤報の発生を減らすことができるようにする。【解決手段】呼出制御部２２は、同時に使用可能とされた複数種類のセンサ４〜６のうち、少なくとも２種類のセンサにおいて信号の検出が行われたと判定された場合に限り、ナースコールの呼び出しを行うように制御することにより、被看護者が呼び出しを行う意図なく行った動作によって１種類のセンサにより信号の検出が行われたとしても、それだけではナースコールの呼び出しは行われず、被看護者が呼び出しを行う明確な意図を持って、少なくとも２種類のセンサで信号の検出が行われるように動作した場合にのみ、ナースコールの呼び出しが行われるようにする。【選択図】図２
2016129585.tif 000002
【特許請求の範囲】
【請求項１】
複数種類のセンサを備え、当該複数種類のセンサを同時に使用可能としたナースコール子機であって、
上記複数種類のセンサにおいてそれぞれ信号の検出が行われたか否かを判定する検出判定部と、
上記検出判定部により、少なくとも２種類のセンサにおいて信号の検出が行われたと判定された場合に限り、ナースコールの呼び出しを行う呼出制御部とを備えたことを特徴とするナースコール子機。
【請求項２】
上記複数種類のセンサは、被看護者による接触を検出する接触センサ、被看護者による呼気の風圧または発声の音圧を検出するブレスセンサ、および、被看護者による顔の動きまたは接近を検出する光学式センサであることを特徴とする請求項１に記載のナースコール子機。
【請求項３】
上記呼出制御部は、上記接触センサおよび上記ブレスセンサの両方において信号の検出が行われたと判定された場合に限り、上記ナースコールの呼び出しを行うことを特徴とする請求項２に記載のナースコール子機。
【請求項４】
上記呼出制御部は、上記接触センサおよび上記光学式センサの両方において信号の検出が行われたと判定された場合に限り、上記ナースコールの呼び出しを行うことを特徴とする請求項２に記載のナースコール子機。
【請求項５】
上記呼出制御部は、上記ブレスセンサおよび上記光学式センサの両方において信号の検出が行われたと判定された場合に限り、上記ナースコールの呼び出しを行うことを特徴とする請求項２に記載のナースコール子機。
【発明の詳細な説明】
【技術分野】
【０００１】
本発明は、被看護者が看護師を呼び出す際に使用するナースコール子機に関し、特に、可撓性を有するフレキシブルアームの先端側に各種センサを備えるナースコール子機に用いて好適なものである。
【背景技術】
【０００２】
一般に、病院や介護施設などでは、ナースコールシステムが用いられている。ナースコールシステムは、被看護者または被介護者（以下、単に被看護者という）のベッドサイドなどに設置するナースコール子機と、ナースセンタなどに設置する固定型ナースコール親機および個々の看護師または介護者（以下、単に看護師という）が所持する携帯型ナースコール親機（以下、固定型および携帯型の両方を含めて単にナースコール親機という）とを備えて構成されている。この種のナースコールシステムにおいて、被看護者がナースコール子機の呼出ボタンを押下して呼び出しを行うと、呼び出しが行われたことがナースコール親機にて報知される。
【０００３】
ところで、被看護者の中には、意識はあっても、自力で手足を動かすことのできない様態の方もいる。このような被看護者が看護師を呼び出すために、息、音、タッチ、光などの手段によって呼び出しを行うことができるようにしたナースコール子機が知られている（例えば、特許文献１，２参照）。図３は、この特許文献１，２に記載された従来のナースコール子機の構成を示す図である。
【０００４】
図３に示すように、特許文献１，２に記載のナースコール子機は、可撓性を有するフレキシブルアーム２の先端に、接触センサ４０、ブレスセンサ（音センサ）５および光学式センサ６を配置したセンサヘッド３を備えている。このセンサヘッド３を、被看護者が自分の意志で動かせる部位の近傍（例えば、口元の近く）に位置決めすることにより、呼出ボタンを押せない被看護者でも呼び出しを行うことができるようになる。
【先行技術文献】
【特許文献】
【０００５】
【特許文献１】特開２００５−１５２０４６号公報
【特許文献２】特開２００５−１５２０４７号公報
【発明の概要】
【発明が解決しようとする課題】
【０００６】
しかしながら、上記特許文献１，２に記載のナースコール子機では、センサヘッド３に複数種類のセンサを備えることが記載されているものの、これら複数種類のセンサを同時に使用する場合の具体的な方法については記載されていなかった。そのため、複数種類のセンサを同時に使用可能とした場合、誤報が多く発生してしまうという問題があった。
【０００７】
すなわち、被看護者が呼び出しを行う意図なく接触センサ４０に触れてしまうだけで、呼び出しが行われてしまうという問題があった。また、被看護者が呼び出しを行う意図なく音を発したときでも、音センサ５が音を検出してしまい、呼び出しが行われてしまうという問題があった。また、被看護者が呼び出しを行う意図なく口元や瞼などを動かしただけで、光学式センサ６がその動きを検出してしまい、呼び出しが行われてしまうという問題があった。
【０００８】
本発明は、このような問題を解決するために成されたものであり、自力で手足を動かすことのできない被看護者のために設けた複数種類のセンサを同時に使用可能としたナースコール子機において、ナースコール親機に対する呼び出しによる誤報を減らすことができるようにすることを目的とする。
【課題を解決するための手段】
【０００９】
上記した課題を解決するために、本発明のナースコール子機は、同時に使用可能とされた複数種類のセンサのうち、少なくとも２種類のセンサにおいて信号の検出が行われたと判定された場合に限り、ナースコールの呼び出しを行うようにしている。
【発明の効果】
【００１０】
上記のように構成した本発明によれば、被看護者が呼び出しを行う意図なく行った動作によって１種類のセンサにより信号の検出が行われたとしても、それだけではナースコールの呼び出しは行われない。被看護者が呼び出しを行う明確な意図を持って、少なくとも２種類のセンサで信号の検出が行われるように動作した場合にのみ、ナースコールの呼び出しが行われる。これにより、被看護者の意図しない呼び出しができるだけ発生しないようにすることができ、ナースコール親機に対する誤報の発生を減らすことができる。
【図面の簡単な説明】
【００１１】
【図１】本実施形態によるナースコール子機の構成例を示す斜視図である。
【図２】本実施形態によるナースコール子機の本体が内蔵するマイクロコンピュータによって実現される機能構成例を示すブロック図である。
【図３】従来のナースコール子機の構成例を示す斜視図である。
【発明を実施するための形態】
【００１２】
以下、本発明の一実施形態を図面に基づいて説明する。図１は、本実施形態によるナースコール子機の構成例を示す斜視図である。図１に示すように、本実施形態のナースコール子機１０は、本体１、フレキシブルアーム２およびセンサヘッド３を備えて構成されている。
【００１３】
本体１は、被看護者が使用するベッド上で、被看護者の頭部が位置する場所の周辺に据えられる。あるいは、本体１は、被看護者の頭部の周辺に置かれる台などに据えられる。この本体１は、マイクロコンピュータを内蔵しており、後述するナースコールの呼び出しを制御する。
【００１４】
フレキシブルアーム２は、本体１に固定される基端２ａから先端２ｂまでの途中を自在に湾曲させた状態に維持可能に構成されている。フレキシブルアーム２の基端２ａは、本体１の上部１ａに固定される。また、フレキシブルアーム２の先端２ｂには、センサヘッド３が配置される。すなわち、フレキシブルアーム２の先端２ｂにセンサヘッド３の３ａが接続されている。
【００１５】
センサヘッド３には、接触センサ４、ブレスセンサ５、光学式センサ６および確認灯７が設けられている。また、センサヘッド３には、ブレスセンサ５、光学式センサ６および確認灯７が実装された基板（図示せず）が内蔵されている。そして、このセンサヘッド３の基板と本体１のマイクロコンピュータとの間をつなぐ配線（図示せず）が、フレキシブルアーム２の内部に通されている。フレキシブルアーム２の表面は、非導電性部材により構成されている。
【００１６】
接触センサ４は、被看護者の身体の一部（被看護者の顔または舌など）が接触したことを検出するものであり、センサヘッド３の先端３ｂに配置され、上述の基板に電気的に接続されている。この接触センサ４は、センサヘッド３の先端３ｂに固定される基端４ａから先端４ｂまでが、自在に湾曲させた状態に維持可能に構成されたフレキシブルアーム４ｃで構成され、先端４ｂが検出面の構造となっている。そして、当該検出面４ｂが被看護者の口元に位置決めされる。
【００１７】
接触センサ４の検出面４ｂは、全方位から被看護者の接触を検出可能に形成されている。具体的には、検出面４ｂの全体を導電性のステンレスにより構成している。なお、フレキシブルアーム４ｃもステンレスにより構成することにより、フレキシブルアーム４ｃの全体を検出面として構成することも可能である。
【００１８】
図１に示すように、本体１とセンサヘッド３とを接続するフレキシブルアーム２および接触センサ４のフレキシブルアーム４ｃは何れも円筒型であり、フレキシブルアーム４ｃの直径はフレキシブルアーム２の直径よりも小さい。これにより、接触センサ４のフレキシブルアーム４ｃは、フレキシブルアーム２と比べて、特定の部位をより鋭角に湾曲させることができるようになっている。
【００１９】
ブレスセンサ５は、被看護者の呼気の風圧または発声の音圧を検出するものである。本実施形態において、ブレスセンサ５の検出部５ａには、コンデンサ型マイクロフォンを使用しており、被看護者の呼気の風圧を検出するほか、被看護者による発声の音圧を検出することができるようになっている。なお、コンデンサ型マイクロフォンの代わりに、圧電型マイクロフォンを使用しても良い。また、圧力センサとしての機能を有するものとして、半導体容量式圧力センサを用いても良い。
【００２０】
光学式センサ６は、被看護者の口元や瞼などの顔の動きまたは顔の接近を検出するものである。すなわち、光学式センサ６は、投光部６ａと受光部６ｂとを備えており、投光部６ａから赤外線などの信号を投光し、被看護者の顔に反射して返ってくる信号を受光部６ｂにて受光する。そして、赤外線を投光してから受光するまでの時間を距離に換算することにより、距離の変化を被看護者による顔の動きまたは顔の接近として検出する。
【００２１】
以上のように、本実施形態のナースコール子機１０は、接触センサ４、ブレスセンサ５、光学式センサ６といった複数種類のセンサを備え、当該複数種類のセンサを同時に使用可能（同時に信号を検出可能）としている。なお、本体１の上部１ａには、各センサ４〜６の感度や検出時間を調整するボタン１ｂと、調整されたセンサ４〜６の感度や検出時間のレベルを表示する表示灯１ｃとが配置されている。
【００２２】
確認灯７は、接触センサ４、ブレスセンサ５、光学式センサ６のうち少なくとも２種類のセンサが信号を検出してナースコールの呼び出しが行われたことを、点灯することによって被看護者に報知する。
【００２３】
図２は、本体１が内蔵するマイクロコンピュータによって実現される機能構成例を示すブロック図である。図２に示すように、本実施形態によるマイクロコンピュータ２０は、その機能構成として、検出判定部２１および呼出制御部２２を備えている。なお、検出判定部２１および呼出制御部２２の機能は、マイクロコンピュータ２０が備えるＣＰＵの制御により、ＲＡＭやＲＯＭまたは半導体メモリ等の記録媒体に記憶されたプログラムが動作することによって実現される。
【００２４】
検出判定部２１は、接触センサ４、ブレスセンサ５、光学式センサ６においてそれぞれ信号の検出が行われたか否かを判定する。すなわち、検出判定部２１は、接触センサ４によって被看護者の接触が検出されたか否か、ブレスセンサ５によって被看護者の呼気または発声が検出されたか否か、光学式センサ６によって被看護者の顔の動きまたは接近が検出されたか否かをそれぞれ判定する。
【００２５】
呼出制御部２２は、検出判定部２１により、少なくとも２種類のセンサにおいて信号の検出が行われたと判定された場合に限り、ナースコールの呼び出しを行うように制御する。
【００２６】
具体的には、呼出制御部２２は、接触センサ４およびブレスセンサ５の両方において信号の検出が行われたと判定された場合に限り、ナースコールの呼び出しを行うように制御する。このような制御を可能とするために、接触センサ４は、フレキシブルアーム４ｃを湾曲させて、先端の検出面４ｂをブレスセンサ５の近傍に位置決めして使用する。
【００２７】
また、呼出制御部２２は、接触センサ４および光学式センサ６の両方において信号の検出が行われたと判定された場合に限り、ナースコールの呼び出しを行うようにしてもよい。このような制御を可能とするために、接触センサ４は、フレキシブルアーム４ｃを湾曲させて、先端の検出面４ｂを光学式センサ６の近傍に位置決めして使用する。
【００２８】
また、呼出制御部２２は、ブレスセンサ５および光学式センサ６の両方において信号の検出が行われたと判定された場合に限り、ナースコールの呼び出しを行うようにしてもよい。
【００２９】
また、呼出制御部２２は、接触センサ４、ブレスセンサ５および光学式センサ６の全てにおいて信号の検出が行われたと判定された場合に限り、ナースコールの呼び出しを行うようにしてもよい。
【００３０】
なお、本体１に操作ボタンを追加して設け、ナースコールの呼び出しを行うために信号が検出されることを必要とする２種類以上のセンサの組み合わせをユーザが任意に設定できるようにしてもよい。
【００３１】
以上詳しく説明したように、本実施形態のナースコール子機１０では、同時に使用可能とされた複数種類のセンサ４〜６のうち、少なくとも２種類のセンサにおいて信号の検出が行われたと判定された場合に限り、ナースコールの呼び出しを行うようにしている。
【００３２】
このように構成した本実施形態によれば、被看護者が呼び出しを行う意図なく行った動作によって１種類のセンサにより信号の検出が行われたとしても、それだけではナースコールの呼び出しは行われない。被看護者が呼び出しを行う明確な意図を持って、少なくとも２種類のセンサで信号の検出が行われるように動作した場合にのみ、ナースコールの呼び出しが行われる。これにより、被看護者の意図しない呼び出しができるだけ発生しないようにすることができ、ナースコール親機に対する誤報の発生を減らすことができる。
【００３３】
なお、上記実施形態では、センサヘッド３に対して接触センサ４、ブレスセンサ５および光学式センサ６の３種類のセンサを配置する例について説明したが、少なくとも２種類のセンサが配置されていればよい。
【００３４】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３５】
４  接触センサ
５  ブレスセンサ
６  光学式センサ
１０  ナースコール子機
２０  マイクロコンピュータ
２１  検出判定部
２２  呼出制御部
【図１】
2016129585.tif 000003
【図２】
2016129585.tif 000004
【図３】
2016129585.tif 000005